【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
Ｈ＋の存在下でＣｒ６＋の還元に応じて酸化状態を変え、これにより光学的特性を可逆的、かつ光学的に読取りできる変化を起こすことができる二価のオスミウム（Ｏｓ２＋）−、鉄（Ｆｅ２＋）−またはルテニウム（Ｒｕ２＋）−ベースのピリジル錯体を有して、６価クロム（Ｃｒ６＋）の光学的な検出、定量あるいは無毒化を行う装置の使用であって、
前記ピリジル錯体が、一般式（Ｉ）〔式中、ＭがＯｓ、Ｆｅ、またはＲｕであり、ｎがオスミウム、鉄、またはルテニウムの酸化状態で２または３であり、ｍがトリスビピリジルリガンドの正電荷で０から２４の整数であり、ＸがＢｒ−、Ｃｌ−、Ｆ−、Ｉ−、ＰＦ６−、ＢＦ４−、ＯＨ−、ＣｌＯ４−、ＳＯ３−、ＣＦ３ＣＯＯ−、ＣＮ−、アルキル−ＣＯＯ−、アリール−ＣＯＯ−、またはこれらの組合せから選ばれる対アニオンであり、Ｒ５〜Ｒ２８がそれぞれ独立に水素、ハロゲン、ヒドロキシル、アジド、ニトロ、シアノ、アミノ、置換されたアミノ、チオール、Ｃ１−Ｃ１０アルキル、シクロアルキル、ヘテロシクロアルキル、ハロアルキル、アリール、ヘテロアリール、アルコキシ、アルケニル、アルキニル、カルボキサミド、置換されたカルボキサミド、カルボキシル、保護されたカルボキシル、保護されたアミノ、スルホニル、置換されたアリール、置換されたシクロアルキル、または置換されたヘテロシクロアルキルであり、Ｒ５〜Ｒ２８の少なくとも一つがＡまたはＢのグループであり、Ａが下記の式Ａで示され、Ｒ４で一般式Ｉ化合物の環構造に連結しており、ここで、Ｒ４が、シス／トランスのＣ＝Ｃ、Ｃ≡Ｃ、Ｎ＝Ｎ、Ｃ＝Ｎ、Ｎ＝Ｃ、Ｃ−Ｎ、Ｎ−Ｃ、アルケン、アリーレン、またはこれらの組合せから選ばれ、Ｒ３がＣまたはＮであり、Ｒ２がナシまたは水素、アルキル、アルキレン、アリール、アリーレン、ＯＨ、Ｏ−アルキル、Ｏ−アルキレン、またはこれらの組合せから選ばれ、Ｒ１がナシまたは水素、トリアルコキシシラン、トリハライドシラン、チオール、ＣＯＯＨ、ＣＯＯ−、Ｓｉ（ＯＨ）３、またはホスホネートであり、Ｂが、酸素により一般式１の化合物の環構造に連結する−Ｏ（ＣＨ２）ｐ−Ｒ２９であり、ここでｐが９〜１２の整数であり、Ｒ２９が水素、トリアルコキシシラン、トリハライドシラン、チオール、ＣＯＯＨ、ＣＯＯ−、Ｓｉ（ＯＨ）３、またはホスホネートであり、２つの隣合うＲ５とＲ２８置換基がそれらに連結する炭素原子と縮合してシクロアルキル、ヘテロシクロアルキル、ヘテロアリールまたはアリールの縮合環を形成してもよく、かつ前記縮合環がＣ１〜Ｃ１０アルキル、アリール、アジド、シクロアルキル、ハロゲン、ヘテロシクロアルキル、アルコキシ、ヒドロキシル、ハロアルキル、ヘテロアリール、アルケニル、アルキニル、ニトロ、シアノ、アミノ、置換されたアミノ、カルボキシアミド、置換されたカルボキシアミド、カルボキシル、保護されたカルボキシル、保護されたアミノ、チオール、スルフォニル、または置換されたアリールから選ばれる１つ以上のグループで置換されていてもよく、さらに前記縮合環がＮ、Ｏ、またはＳから選ばれる少なくとも１つのヘテロ原子を有していてもよい。〕で表されるトリス−ビピリジルＯｓ２＋、Ｆｅ２＋、あるいはＲｕ２＋錯体であることを特徴とする６価クロム（Ｃｒ６＋）の光学的検出、定量あるいは無毒化装置の使用。
【化１１】
2011514508.tif 000001
【請求項２】
前記ピリジル錯体が、トリス−ビピリジルＯｓ２＋錯体であることを特徴とする請求項１に記載の６価クロム（Ｃｒ６＋）の光学的検出、定量あるいは無毒化装置の使用。
【請求項３】
前記ピリジル錯体は、前記一般式ＩにおけるＭがＯｓ、Ｆｅ、またはＲｕであり、ＸがＰＦ６−、またはＩ−であり、Ｒ５、Ｒ７〜Ｒ２６、およびＲ２８がそれぞれ水素であり、Ｒ６がメチルであり、Ｒ２７がＡであって、ＡにおけるＲ４がＣ＝Ｃであり、Ｒ３がＮであり、Ｒ２およびＲ１が共にナシの化合物（それぞれ、化合物４ａ〜４ｂ、５ａ〜５ｂ、および６ａ−６ｂ）である式（Ｉａ）のトリス−ビピリジル錯体、
ＭがＯｓ、Ｆｅ、またはＲｕであり、ｎが２であり、ｍが１であり、ＸがＰＦ６−またはＩ−であり、Ｒ５、Ｒ７〜Ｒ２６、およびＲ２８が水素であり、Ｒ６がメチルであり、Ｒ２７がＡであって、ＡにおけるＲ４がＣ＝Ｃであり、Ｒ３がＮであり、Ｒ２がメチルであり、Ｒ１がナシの化合物（それぞれ、化合物７ａ〜７ｂ、８ａ〜８ｂ、および９ａ〜９ｂ）である式（Ｉｂ）のトリス−ビピリジル錯体、ＭがＯｓであり、ｎが２であり、ｍが１であり、ＸがＰＦ６−またはＩ−であり、Ｒ５、Ｒ７〜Ｒ２６、およびＲ２８がそれぞれ水素であり、Ｒ６がメチルであり、Ｒ２７がＡであって、ＡにおけるＲ４がＣ＝Ｃであり、Ｒ３がＮであり、Ｒ２がプロピルであり、Ｒ１がトリメトキシシランの化合物（それぞれ、化合物１０ａおよび１０ｂ）である式（Ｉｃ）のトリス−ビピリジル錯体、
ＭがＯｓ、Ｆｅ、またがＲｕであり、ｎが２であり、ｍが０であり、ＸがＰＦ６−またはＩ−であり、Ｒ５、Ｒ７〜Ｒ２６、およびＲ２８がそれぞれ水素であり、Ｒ６がメチルであり、およびＲ２７がＡであって、ＡにおけるＲ４がＣ＝Ｃであり、Ｒ３がＣであり、Ｒ２がＯＨであり、Ｒ１がナシの化合物（それぞれ、化合物１１ａ〜１１ｂ、１２ａ〜１２ｂ、および１３ａ〜１３ｂ）である式（Ｉｄ）のトリス−ビピリジル錯体、
ＭがＯｓであり、ｎが２であり、ｍが０であり、ＸがＰＦ６−またはＩ−であり、Ｒ５、Ｒ７〜Ｒ２６、およびＲ２８がそれぞれ水素であり、Ｒ６がメチルであり、Ｒ２７がＡであって、ＡにおけるＲ４がＣ＝Ｃであり、Ｒ３がＣであり、Ｒ２がＯ−プロピルであり、Ｒ１がトリメトキシシランの化合物（それぞれ、化合物１４ａおよび１４ｂ）である式（Ｉｅ）のトリス−ビピリジル錯体、
ＭがＯｓであり、ｎが２であり、ｍが０であり、ＸがＰＦ６−またはＩ−であり、Ｒ５、Ｒ７〜Ｒ２６、およびＲ２８がそれぞれ水素であり、Ｒ６およびＲ２７がそれぞれＢであって、Ｂにおけるｐが９であり、Ｒ２９がトリメトキシシランの化合物（それぞれ、化合物（それぞれ、化合物１５ａおよび１５ｂ）である式（Ｉｆ）のトリス−ビピリジル錯体、
から選ばれる１種以上であることを特徴とする請求項１に記載の６価クロム（Ｃｒ６＋）の光学的検出、定量あるいは無毒化装置の使用。
【化１２】
2011514508.tif 000002
【請求項４】
前記光学的特性が、４００〜９００ｎｍの範囲における前記ピリジル錯体の吸光スペクトルであることを特徴とする請求項１に記載の６価クロム（Ｃｒ６＋）の光学的検出、定量あるいは無毒化装置の使用。
【請求項５】
さらに、中性ｐＨでＦｅ３＋の還元に応じて酸化状態を変えることができて、Ｆｅ３＋の検出ができることを特徴とする請求項１に記載の６価クロム（Ｃｒ６＋）の光学的検出、定量あるいは無毒化装置の使用。
【請求項６】
前記装置が、さらに、前記ピリジル錯体の層状構造を保持する基板を有していることを特徴とする請求項１乃至５のいずれか１項に記載の６価クロム（Ｃｒ６＋）の光学的検出、定量あるいは無毒化装置の使用。
【請求項７】
前記装置が、（１）前記ピリジル錯体が、ピリジル錯体の単分子層、又は同じまたは異なるピリジル錯体の複数分子層の層状構造であり、
（２）前記ピリジル錯体が、前記基板の表面に共有結合できる結合基を有し、（３）前記基板の表面が、前記層状構造を共有または結合することができる官能基を有している、ことを特徴とする請求項６に記載の６価クロム（Ｃｒ６＋）の光学的検出、定量あるいは無毒化装置の使用。
【請求項８】
前記官能基が、共有結合または非共有結合のいずれかで前記層状構造に結合できることを特徴とする請求項７に記載の６価クロム（Ｃｒ６＋）の光学的検出、定量あるいは無毒化装置の使用。
【請求項９】
前記基板が、（１）親水性、疎水性、またはそれらの組合せであり、（２）紫外および可視スペクトル範囲で光学的に透明である、ことを特徴とする請求項６に記載の６価クロム（Ｃｒ６＋）の光学的検出、定量あるいは無毒化装置の使用。
【請求項１０】
前記基板が、ガラス、ドープしたガラス、インジウム錫酸化物（ＩＴＯ）コーティングしたガラス、シリコン、ドープしたシリコン、Ｓｉ（１００）、Ｓｉ（１１１）、ＳｉＯ２、ＳｉＨ、炭化ケイ素ミラー、石英、金属、金属酸化物、金属と金属酸化物の混合物、ＩＶ族元素、雲母、ポリアクリルアミドとポリスチレンを含むポリマー、プラスチック、ゼオライト、クレイ、木材、薄膜、光ファイバー、セラミック、金属表面加工セラミック、アルミナ、導電性物質、半導体、鋼またはステンレス鋼から選ばれた材料であることを特徴とする請求項６に記載の６価クロム（Ｃｒ６＋）の光学的検出、定量あるいは無毒化装置の使用。
【請求項１１】
前記基板が、ビーズ、マイクロ粒子、ナノ粒子、量子ドット、またはナノチューブの形体にあることを特徴とする請求項１０に記載の６価クロム（Ｃｒ６＋）の光学的検出、定量あるいは無毒化装置の使用。
【請求項１２】
前記基板が、ガラススライドまたはビーズであり、前記ピリジル錯体が、前記一般式ＩにおいてＭがＯｓであり、ｎが２であり、ｍが１であり、ＸがＰＦ６−またはＩ−であり、Ｒ５、Ｒ７〜Ｒ２６およびＲ２８がそれぞれ水素であり、Ｒ６がメチルであり、Ｒ２７がＡであって、ＡにおけるＲ４がＣ＝Ｃであり、Ｒ３がＮであり、Ｒ２がプロピルであり、Ｒ１がトリメトキシシランの化合物（それぞれ、化合物１０ａおよび１０ｂ）であり、前記ピリジル錯体の単分子層が、前記基板に共有結合していることを特徴とする請求項６に記載の６価クロム（Ｃｒ６＋）の光学的検出、定量あるいは無毒化装置の使用。
【請求項１３】
Ｈ＋の存在下でＣｒ６＋の還元に応じて酸化状態を変えることができる請求項１乃至３のいずれか１項に記載の二価のオスミウム（Ｏｓ２＋）−、鉄（Ｆｅ２＋）−またはルテニウム（Ｒｕ２＋）−ベースのピリジル錯体を含有することを特徴とする６価クロム（Ｃｒ６＋）を選択的検出および定量する酸性水溶液の使用。
【請求項１４】
前記オスミウム（Ｏｓ２＋）−ベースのピリジル錯体は、ｐＨが０．１〜３の水溶液であることを特徴とする請求項１３に記載の６価クロム（Ｃｒ６＋）を選択的検出および定量する酸性水溶液の使用。
【請求項１５】
前記酸性水溶液が、アンプルに入れられていることを特徴とする請求項１３又は１４に記載の６価クロム（Ｃｒ６＋）を選択的検出および定量する酸性水溶液の使用。
【請求項１６】
前記アンプルが少なくとも２つ有してキットとすることを特徴とする請求項１５に記載の６価クロム（Ｃｒ６＋）を選択的検出および定量する酸性水溶液の使用。
【請求項１７】
液体サンプル中の６価クロム（Ｃｒ６＋）の選択的検出および定量方法であって、
（１）Ｃｒ６＋の還元に応じて酸化状態を変えることができる請求項１乃至３のいずれか１項に記載の二価のオスミウム（Ｏｓ２＋）−、鉄（Ｆｅ２＋）−またはルテニウム（Ｒｕ２＋）−ベースのピリジル錯体を、Ｈ＋の存在下で液体サンプルと充分な時間で接触させる、
（２）４００〜９００ｎｍの範囲で前記ピリジル錯体の吸収スペクトルを記録する、
（３）前記液体サンプル中のＣｒ６＋の存在をモニターし、前記ピリジル錯体の予め定めた吸収と比較して（２）の前記吸収スペクトルの変化によりその濃度を測定する、
を行うことを特徴とする６価クロム（Ｃｒ６＋）の選択的検出および定量方法。
【請求項１８】
前記ピリジル錯体が、基板上に層状構造として保持され、前記液体サンプルが、固体サンプルを液体媒体で処理して得られたものであることを特徴とする請求項１７に記載の６価クロム（Ｃｒ６＋）の選択的検出および定量方法。
【請求項１９】
前記ピリジル錯体が、オスミウム（Ｏｓ２＋）−ベースのピリジル錯体であり、
（１）λ＝５１６および６９２ｎｍで金属から配位子への電子移動（ＭＬＣＴ）バンドの低下は、Ｃｒ６＋の存在を示し、この低下割合はサンプル中のＣｒ６＋濃度に比例する、
（２）ｐＨ０．１〜３で前記液体サンプルと１分間接触する、
ことを特徴とする請求項１７に記載の６価クロム（Ｃｒ６＋）の選択的検出および定量方法。
【請求項２０】
水または有機液体媒体中の６価クロム（Ｃｒ６＋）の無毒化方法であって、
（１）水または有機液体媒体を、Ｃｒ６＋の還元に応じてそれぞれ酸化状態をＯｓ３＋、Ｆｅ３＋またはＲｕ３＋ベースのピリジル錯体に変ることができ、基板上に層状構造で保持された請求項１乃至３のいずれか１項に記載の二価のオスミウム（Ｏｓ２＋）−、鉄（Ｆｅ２＋）−またはルテニウム（Ｒｕ２＋）−ベースピリジル錯体と、Ｈ＋の存在下で充分時間で接触させ、
（２）Ｃｒ６＋の存在のモニターし、前記液体媒体からのサンプル中のＣｒ６＋濃度を測定する、
（３）前記サンプル中のＣｒ６＋を検出するとき、前記Ｏｓ３＋−、Ｆｅ３＋−、または  Ｒｕ３＋−ベースピリジル錯体を還元して、ステップ（１）および（２）を繰返す、ことを特徴とする６価クロム（Ｃｒ６＋）の無害化方法。
【請求項２１】
前記基板が、ビーズ、ナノ粒子、量子ドット、またはナノチューブの形体であって、
Ｃｒ６＋の存在をモニターおよび濃度を測定するステップ（２）が、フレーム原子吸光法（ＦＡＡＳ）、誘導結合プラズマ原子発光スペクトル（ＩＣＰ−ＡＥＳ）、化学発光分析法、蛍光Ｘ線分析法、電気化学的方法により、または請求項２０の方法により行われることを特徴とする請求項２０に記載の６価クロム（Ｃｒ６＋）の無害化方法。
【請求項２２】
前記Ｏｓ２＋−ベースのピリジル錯体が、ｐＨ０．１〜３で前記液体媒体と接触されることを特徴とする請求項２０に記載の６価クロム（Ｃｒ６＋）の無害化方法。
【請求項２３】
水または有機の液体媒体を、Ｈ＋の存在下で充分時間接触させることにより、Ｃｒ６＋の還元に応じて酸化状態をそれぞれＯｓ３＋、Ｆｅ３＋またはＲｕ３＋ベースのピリジル錯体に変ることができ、基板上に層状構造で保持された請求項１乃至３のいずれか１項に記載の二価のオスミウム（Ｏｓ２＋）−、鉄（Ｆｅ２＋）−またはルテニウム（Ｒｕ２＋）−ベースのピリジル錯体と接触させことを特徴とする６価クロム（Ｃｒ６＋）の無害化方法。
【請求項２４】
６価クロム（Ｃｒ６＋）を、一般式（Ｉ）〔式中、ＭがＯｓであり、ｎがオスミウムの酸化状態で２であり、ｍがトリスビピリジルリガンドの正電荷で０から２４の整数であり、ＸがＢｒ−、Ｃｌ−、Ｆ−、Ｉ−、ＰＦ６−、ＢＦ４−、ＯＨ−、ＣｌＯ４−、ＳＯ３−、ＣＦ３ＣＯＯ−、ＣＮ−、アルキル−ＣＯＯ−、アリール−ＣＯＯ−、またはこれらの組合せから選ばれる対アニオンであり、Ｒ５〜Ｒ２８がそれぞれ独立に水素、ハロゲン、ヒドロキシル、アジド、ニトロ、シアノ、アミノ、置換されたアミノ、チオール、Ｃ１−Ｃ１０アルキル、シクロアルキル、ヘテロシクロアルキル、ハロアルキル、アリール、ヘテロアリール、アルコキシ、アルケニル、アルキニル、カルボキサミド、置換されたカルボキサミド、カルボキシル、保護されたカルボキシル、保護されたアミノ、スルホニル、置換されたアリール、置換されたシクロアルキル、または置換されたヘテロシクロアルキルであり、Ｒ５〜Ｒ２８の少なくとも一つがＡまたはＢのグループであり、Ａが下記の式Ａで示され、Ｒ４で一般式Ｉ化合物の環構造に連結しており、ここで、Ｒ４が、シス／トランスのＣ＝Ｃ、Ｃ≡Ｃ、Ｎ＝Ｎ、Ｃ＝Ｎ、Ｎ＝Ｃ、Ｃ−Ｎ、Ｎ−Ｃ、アルケン、アリーレン、またはこれらの組合せから選ばれ、Ｒ３がＣまたはＮであり、Ｒ２がナシまたは水素、アルキル、アルキレン、アリール、アリーレン、ＯＨ、Ｏ−アルキル、Ｏ−アルキレン、またはこれらの組合せから選ばれ、Ｒ１がナシまたは水素、トリアルコキシシラン、トリハライドシラン、チオール、ＣＯＯＨ、ＣＯＯ−、Ｓｉ（ＯＨ）３、またはホスホネートであり、Ｂが、酸素により一般式１の化合物の環構造に連結する−Ｏ（ＣＨ２）ｐ−Ｒ２９であり、ここでｐが９〜１２の整数であり、Ｒ２９が水素、トリアルコキシシラン、トリハライドシラン、チオール、ＣＯＯＨ、ＣＯＯ−、Ｓｉ（ＯＨ）３、またはホスホネートであり、２つの隣合うＲ５とＲ２８置換基がそれらに連結する炭素原子と縮合してシクロアルキル、ヘテロシクロアルキル、ヘテロアリールまたはアリールの縮合環を形成してもよく、かつ前記縮合環がＣ１〜Ｃ１０アルキル、アリール、アジド、シクロアルキル、ハロゲン、ヘテロシクロアルキル、アルコキシ、ヒドロキシル、ハロアルキル、ヘテロアリール、アルケニル、アルキニル、ニトロ、シアノ、アミノ、置換されたアミノ、カルボキシアミド、置換されたカルボキシアミド、カルボキシル、保護されたカルボキシル、保護されたアミノ、チオール、スルフォニル、または置換されたアリールから選ばれる１つ以上のグループで置換されていてもよく、さらに前記縮合環がＮ、Ｏ、またはＳから選ばれる少なくとも１つのヘテロ原子を有していてもよい。〕で表される二価のオスミウム（Ｏｓ２＋）−ベースのピリジル錯体で還元して、Ｏｓ２＋をＯｓ３＋に酸化し、酸化されたＯｓ３＋を水に充分時間接触させてＯｓ３＋  をＯｓ２＋に再生することを特徴とする６価クロム（Ｃｒ６＋）の触媒還元方法。
【化１１】
2011514508.tif 000003
【手続補正２】
【補正対象書類名】明細書
【補正対象項目名】発明の名称
【補正方法】変更
【補正の内容】
【発明の名称】６価クロム（Ｃｒ６＋）の光学的検出、定量あるいは無毒化装置の使用
【手続補正３】
【補正対象書類名】明細書
【補正対象項目名】００１４
【補正方法】変更
【補正の内容】
【００１４】
従って、１つの態様で、本発明は、６価クロム（Ｃｒ６＋）の光学的検出、定量あるいは無毒化装置の使用であり、その装置が、Ｈ＋の存在下でＣｒ６＋の還元に応じて酸化状態を変え、これにより光学的特性を可逆的、かつ光学的に読取りできる変化を起すことができる二価のオスミウム（Ｏｓ２＋）−、鉄（Ｆｅ２＋）−またはルテニウム（Ｒｕ２＋）−ベースピリジル錯体でなっている。
【手続補正４】
【補正対象書類名】明細書
【補正対象項目名】００３７
【補正方法】変更
【補正の内容】
【００３７】
１つの態様で、本発明は６価クロム（Ｃｒ６＋）の光学的検出、定量あるいは無毒化装置の使用であり、その装置が、Ｈ＋の存在下でＣｒ６＋の還元に応じて酸化状態を変え、これにより光学的特性を可逆的、かつ光学的に読取りできる変化を起こすことができる二価のオスミウム（Ｏｓ２＋）−、鉄（Ｆｅ２＋）−またはルテニウム（Ｒｕ２＋）−ベースピリジル錯体でなっている。好ましい実施形態では、Ｏｓ２＋−ベースのピリジル錯体を用いる。
【手続補正５】
【補正対象書類名】明細書
【補正対象項目名】００３９
【補正方法】変更
【補正の内容】
【００３９】
ここに使用される用語“光学的特性”は、本発明において使用されるＯｓ２＋−、Ｆｅ２＋−、またはＲｕ２＋−ベースピリジル錯体の吸収スペクトルを指す。光学的特性の変化は、Ｏｓ２＋−、Ｆｅ２＋−、またはＲｕ２＋−ベースピリジル錯体への、またはＯｓ２＋−、Ｆｅ２＋−、またはＲｕ２＋−ベースピリジル錯体からの１つ以上の電子の授受によって、電気化学的にもたらされる。
【手続補正６】
【補正対象書類名】明細書
【補正対象項目名】００４０
【補正方法】変更
【補正の内容】
【００４０】
ここに使用される用語“ピリジル錯体”は、１つ以上のピリジル配位子を有する金属を指す。すなわち、本発明において使用されるＯｓ２＋−、Ｆｅ２＋−、またはＲｕ２＋−ベースピリジル錯体は、Ｏｓ２＋、Ｆｅ２＋、またはＲｕ２＋が１つ以上のピリジル配位子に配位しているものである。
【手続補正７】
【補正対象書類名】明細書
【補正対象項目名】００８７
【補正方法】変更
【補正の内容】
【００８７】
別の実施形態では、二価のＯｓ２＋−ベースピリジル錯体を用いて、中性ｐＨ域でＦｅ３＋の還元に対応して酸化状態を変えることができ、Ｆｅ３＋の検出に使用できる。
【手続補正８】
【補正対象書類名】明細書
【補正対象項目名】００８８
【補正方法】変更
【補正の内容】
【００８８】
本発明の実施形態では、さらに、上記に定義したＯｓ２＋−、Ｆｅ２＋−、またはＲｕ２＋−ベースピリジル錯体層状構造を保持した基板を有している。
【手続補正９】
【補正対象書類名】明細書
【補正対象項目名】００９７
【補正方法】変更
【補正の内容】
【００９７】
最も好ましい実施形態では、上で定義されたＯｓ２＋−ベースピリジル錯体層状構造を保持する基板でなっていて、その基板は、ガラス、好ましくはガラススライドまたはビーズであり、そのピリジル錯体は、一般式Ｉであり、ＭがＯｓ、ｎが２、ｍが１、ＸがＰＦ６−またはＩ−、Ｒ５、Ｒ７〜Ｒ２６およびＲ２８がそれぞれ水素、Ｒ６がメチル、Ｒ２７がＡであって、ＡにおいてＲ４がＣ＝Ｃ、Ｒ３がＮ、Ｒ２がプロピル、Ｒ１がトリメトキシシランの化合物（それぞれ、化合物１０ａおよび１０ｂ）であり、前記ピリジル錯体の単分子層が前記基板に共有結合している。